(57)【要約】本発明は、男性のペニスと括約筋の運動器具に関するもので、より詳細には、一般の男性が休憩時間や日常生活をしながら体に着用して自然に括約筋運動を行うことができるようにし、精神的、肉体的に自信感と生活力を向上させることができる効果を有する運動器具器に関するものである。このために本発明の携帯用括約筋運動器具は、ペニスを収容するペニス吸入管と、前記ペニス吸入管に結合され、着用したときに体に密着して前記ペニス吸入管が真空状態になるように真空ポンプが設けられる付着用プレートと、前記付着用プレートの一側に結合され、ペニス吸入管と付着用プレートの安定的な付着のために使用者の首にかけられ、付着後の一定の動きに応じて括約筋にテンションを加えるための括約筋テンションネックレスとを含んでなり、前記ペニス吸入管は、ペニスが上方向に安定的に収容されるようにペニス吸入管の挿入部が内側に折曲して構成されている。【選択図】図１
2009515643.tif 000002
【特許請求の範囲】
【請求項１】
携帯用括約筋運動器具において、
ペニスを収容するペニス吸入管と、
前記ペニス吸入管に結合され、着用したとき体に密着して前記ペニス吸入管が真空状態になるように真空ポンプが設けられる付着用プレートと、
前記付着用プレートの一側に結合され、ペニス吸入管と付着用プレートの安定的な付着のために使用者の首にかけられ、付着後の一定の動きに応じて括約筋にテンションを加えるための括約筋テンションネックレスとを含んでなり、
前記ペニス吸入管は、ペニスが上方向に安定的に収容されるようにペニス吸入管の挿入部が内側に折曲して構成されていることを特徴とする携帯用括約筋運動器具。
【請求項２】
前記付着用プレートの一側には、付着後に振動によってマッサージを行うことができる振動モータがさらに設けられていることを特徴とする請求項１に記載の携帯用括約筋運動器具。
【請求項３】
携帯用括約筋運動器具において、
ペニスを収容するが、ペニスが上方向に安定的に収容されるように収容部が内側に折曲されて構成されているペニス吸入管と、
前記ペニス吸入管に結合され、ペニス吸入管内の空気量を調節することによってペニスが安定的に固定されるようにする真空ポンプと、
前記ペニス吸入管の一側に結合され、ペニス吸入管の安定的な付着のために使用者の首にかけられ、付着後の一定の動きに応じて括約筋にテンションを加えるための括約筋テンションネックレスと、を含んで構成されていることを特徴とする携帯用括約筋運動器具。
【発明の詳細な説明】
【技術分野】
【０００１】
本発明は、男性のペニスと括約筋の運動器具に関するもので、より詳細には、一般の男性が休憩時間や日常生活をしながら体に着用して、自然に括約筋運動を行うことができるようにし、精神的、肉体的な自信感及び生活力を向上させることができる効果を有する運動器具器に関するものである。
【背景技術】
【０００２】
従来技術としては、単に真っ直ぐに延びた真空吸引器によりペニスを真空吸入し、ペニスの血流を遮断するゴムリングを挿入し、セックスのときのみペニスの勃起を維持させるようにした一字型真空吸引器がある。しかし、このような従来の真空機器は、単にセックスをするための吸入血流遮断機能を有するものであって、括約筋の運動に効果的でなく、体に着用するタイプではないので、家族や他人と一緒に過ごす時間や日常生活の中で括約筋運動を行うことができず、独りでいられる隠密な空間でしか運動できないという問題点があって、括約筋運動を持続的に行うことが不可能であった。
【０００３】
従来の男性のペニスを真空吸入する機器は、真っ直ぐに延びた一字型でペニスが前方に突出するようになり、独りで運動できる隠密な空間を探す必要があり、また、体に着用することができないので両手で取って真空吸入を行わなければならないという不便があった。
【発明の開示】
【発明が解決しようとする課題】
【０００４】
そこで、本発明は上記従来の問題点に鑑みてなされたものであって、本発明の目的は、ペニスを真空吸入する携帯用括約筋運動器具に腰ベルト、括約筋テンションネックレスを設けて体に着用するようにし、さらに、真空吸込管のペニス挿入部に折曲された吸込管部を形成して、携帯用括約筋運動器具を体に着用したとき、前方に突出しないで安定的に着用できるようにすることで、休憩時間や日常生活をしながら自然に括約筋運動を行うことができるようにした携帯用括約筋運動器具を提供することである。
【０００５】
本発明のまた他の目的は、体に着用したとき、付着用プレートに設けられた真空ポンプと振動モータにより、片手で真空ポンプの動作が可能であり、括約筋の振動マッサージを行うことができる携帯用括約筋運動器具を提供することである。
【課題を解決するための手段】
【０００６】
上記目的を達成するためになされた本発明は以下のような特徴を有する。
【０００７】
本発明は、携帯用括約筋運動器具において、ペニスを収容するペニス吸入管と、前記ペニス吸入管に結合され、着用したとき体に密着して前記ペニス吸入管が真空状態になるように真空ポンプが設けられる付着用プレートと、前記付着用プレートの一側に結合され、ペニス吸入管と付着用プレートの安定的な付着のために、使用者の首にかけられ、付着後の一定の動きに応じて括約筋にテンションを加えるための括約筋テンションネックレスとを含んでなり、前記ペニス吸入管は、ペニスが上方向に安定的に収容されるようにペニス吸入管の挿入部が内側に折曲して構成されている。
【０００８】
さらに、前記付着用プレートの一側には、付着後に振動によってマッサージを行うことができる振動モータがさらに設けられている。
【０００９】
また、本発明は、携帯用括約筋運動器具において、ペニスを収容するが、ペニスが上方向に安定的に収容されるように収容部が内側に折曲されて構成されているペニス吸入管と、前記ペニス吸入管に結合され、ペニス吸入管内の空気量を調節することによってペニスが安定的に固定されるようにする真空ポンプと、前記ペニス吸入管の一側に結合され、ペニス吸入管の安定的な付着のために使用者の首にかけられ、付着後の一定の動きに応じて括約筋にテンションを加えるための括約筋テンションネックレスとを含んで構成されている。
【発明の効果】
【００１０】
以上のように、一般に男性は休憩時間であっても括約筋運動を行うことは困難である。ところが、本発明の携帯用括約筋運動器具によれば、簡単に携帯して体に着用できるようにした腰ベルトと、括約筋テンションネックレス、片手で動作が可能な真空ポンプ、振動マッサージを行うことができる振動モータを設けることにより、休憩時間にも手軽に着用して自然に括約筋運動を行うことができるようにし、バイアグラ等の薬物や外科的な手術に依存することなく、一般男性の精神的にも肉体的にも積極的で元気な生活を営むことができる。
【発明を実施するための最良の形態】
【００１１】
以下、添付した図面を参照して本発明の好ましい実施例を詳細に説明する。
【００１２】
次に、本発明に係る携帯用括約筋運動器具を実施するための最良の形態の具体例を図面を参照しながら説明する。
【００１３】
図１は、本発明による携帯用括約筋運動器具を示した斜視図である。
【００１４】
図示するように、本発明の一実施形態による携帯用括約筋運動器具１００は、ペニスを収容するペニス吸入管１０と、前記ペニス吸入管に結合され、着用したとき体に密着して前記ペニス吸入管１０が真空状態になるように真空ポンプ４０が設けられる付着用プレート２０と、前記付着用プレート２０の一側に結合され、ペニス吸入管１０と付着用プレート２０の安定的な付着のために、使用者の首にかけられ、付着後の一定の動きに応じて括約筋にテンションを加えるための括約筋テンションネックレス３０とを含んで構成されている。
【００１５】
前記ペニス吸入管１０は、ペニスを収容するためのものであって、本発明による携帯用括約筋運動器具の最大の特徴は、ペニスが上方向に収容されて、使用者の下腹部に付くようにペニス吸入管１０が構成されていることである。このため、使用者の着用上の不便を除去するために、前記ペニス吸入管１０の挿入部１１が内側に所定の角度（図面では９０°）折れ曲がるように形成されている。また、前記付着用プレート２０は、前記ペニス吸入管１０に結合されて使用者の下腹部に密着されるが、このような付着用プレート２０には真空ポンプ４０が形成されて、ペニス吸入管１０を真空状態にする。これにより、前記ペニス吸入管１０に収容されるペニスが固定され、以下に説明する括約筋テンションネックレス３０のテンション刺激によって括約筋を刺激するようになる。
【００１６】
前記真空ポンプ４０は、付着用プレート２０の内側に所定の流路空間を介してペニス吸入管１０と連通し、電動式により自動的にポンピングするように構成したり、又はペニス吸入管１０の一側に直接連通して手動でポンピングするように構成することができる。
【００１７】
一方、前記括約筋テンションネックレス３０は、付着用プレート２０の一側に結合され、ペニス吸入管１０と付着用プレート２０の安定的な付着のために使用者の首にかけることができるように形成され、上記のように、このような構成により、付着後に、腰を伸ばしたり、頭を動かすことによって括約筋にテンションを加えることができる。
【００１８】
前記括約筋テンションネックレス３０は、使用者の体に合わせて適切に長さを調節できる長さ調節部をさらに有してもよく、携帯用括約筋運動器具１００を安定的に固定するための腰ベルト５０をさらに有してもよい。
【００１９】
前記腰ベルト５０は、図１に示されるように、付着用プレート２０に結合されて使用者の腰に巻くことができるように構成されている。
【００２０】
なお、前記付着用プレート２０には、付着後に振動によってマッサージを行うことができる振動モータ６０を設けてもよいが、このような振動モータ６０は、使用者が動作状態を調節可能に構成されることが好ましい。
【００２１】
次に、上記のような携帯用括約筋運動器具の動作過程を説明する。
【００２２】
まず、ペニスにマッサージオイルを塗り、ペニスを挿入部１１に接触させて内蔵の真空ポンプ４０を動作させると、ペニス吸入管１０に吸入力が発生して、折曲された挿入部１１に沿ってペニスがペニス吸入管１０に吸入される。吸入力が発生してペニスが吸入されると、振動モータ６０を動作させ、腰を真っ直ぐに伸ばす。腰を真っ直ぐに伸ばすと、腰ベルト５０と括約筋テンションネックレス３０とが引っ張られて、振動モータ６０に連結された付着用プレート２０が下腹部に密着する。
【００２３】
これによって、真空吸入されたペニスに連結されている括約筋が自然に引っ張れて、振動モータ６０の振動によって括約筋が引っ張れた状態でマッサージされる。このとき、括約筋は収縮運動を行うと、排便時よりも遥かに強い力を括約筋に与えることになり、このような過程を周期的に行うことによって括約筋がさらに発達する。
【００２４】
図２は、本発明の他の実施形態による携帯用括約筋運動器具の斜視図である。図示するように、本発明の他の実施形態による携帯用括約筋運動器具２００は、ペニスを収容するが、ペニスが上方向に安定的に収容されるように挿入部１１１が内側に折曲されて構成されているペニス吸入管１１０と、前記ペニス吸入管１１０に結合され、ペニス吸入管１１０内の空気量を調節してペニスが安定的に固定されるようにする真空ポンプ１２０と、前記ペニス吸入管１１０の一側に結合され、ペニス吸入管１１０を安定的に付着するために使用者の首にかけられ、付着後の一定の動きに応じて括約筋にテンションを与えるための括約筋テンションネックレス１３０とで構成されている。
【００２５】
この実施形態は、上記実施形態に比べて簡単の構成を有するので、携帯及び使用が一層簡単である。
【００２６】
前記ペニス吸入管１１０は、上記実施形態と同様であるが、付着用プレート２０に固定されず、使用者の服や下着内に挿入させて固定されている。また、真空ポンプ１２０は、ペニス吸入管１１０の一側に連通結合されて、ペニス吸入管１１０内の空気を吐出させて真空状態にする。なお、括約筋テンションネックレス１３０は、ペニス吸入管１１０の一側に結合されており、長さ調節可能に調整部材１３１を備えることができる。
【産業上の利用可能性】
【００２７】
以上のように、本発明について図示された好ましい実施形態を参照して詳細に説明したが、これは例示的なものに過ぎず、該当技術分野における通常の知識を有する者であれば、本発明に基づいて様々な変形及び均等な他の実施例が可能であることが理解できるであろう。よって、本発明の真の技術的保護範囲は添付された特許請求の範囲の技術的思想によって決まらなければならない。
【図面の簡単な説明】
【００２８】
【図１】本発明の一実施形態による携帯用括約筋運動器具の斜視図である。
【図２】本発明の他の実施形態による携帯用括約筋運動器具の斜視図である。
【図１】
2009515643.tif 000003
【図２】
2009515643.tif 000004
【国際調査報告】
2009515643.tif 000005
2009515643.tif 000006